(57)【要約】　　　（修正有）【課題】収納室の注入管による羽毛の注入操作を円滑に行え、収納室間の羽毛の移動が生じることがなく、従って、高品質の羽毛布団を提供できる。【解決手段】主体袋を構成する表側地７と裏側地８間に仕切り地を介在させて適宜数の収納室２，…を設け、該収納室２の前記仕切り地で構成する羽毛注入側の収納室構成片５部に設けた構成のものとする。そして、前記構成片５と該構成片５の両面に重ね合わせた仕切り補助片６Ａ，６Ａを前記表裏の側地７，８に止着する。また、収納室構成片５に羽毛注入管用の第一挿入口１０を、各仕切り補助片６Ａ，６Ａに羽毛注入管用の第二挿入口１１，１１を互いに重なり合うことなく設ける。【選択図】図３
2004065618.tif 000002
【特許請求の範囲】
【請求項１】
主体袋を構成する表側地と裏側地間に仕切り地を介在させて適宜数の収納室を設け、該収納室の羽毛注入側の収納室構成片部に設けた羽毛注入管用の挿入口装置において、前記仕切り地で構成する収納室構成片と該構成片の両面に重ね合わせた仕切り補助片を前記表裏の側地に止着すると共に、前記収納室構成片に前記羽毛注入管用の第一挿入口を、前記各仕切り補助片に前記羽毛注入管用の第二挿入口を互いに重なり合うことなく設けた、羽毛布団における羽毛注入管の挿入口装置。
【発明の詳細な説明】
【０００１】
【産業上の利用分野】
本発明は羽毛布団における羽毛注入管の挿入口装置に関するものである。すなわち、羽毛布団の主体袋を構成する表側地と裏側地間に仕切り地を介在させて適宜数羽毛収容用の収納室を設け、該収納室の羽毛注入側の収納室構成片部（収納室壁部）に設けた羽毛注入管用の挿入口装置に関するものである。
【０００２】
【従来の技術および課題】
羽毛注入側の収納室構成片（壁）に単に開口（透孔）を設け、この開口を通じて羽毛注入管を収納室内に挿入して羽毛を注入（充填）するようにしている。
【０００３】
すなわち、従来例は、主体袋に列設した収納室間の収納室構成片（仕切り地で構成する）に開口を設け、該開口を通じて注入管を縦列させた各収納室を通じて最奥の収納室に挿入し、最奥側の収納室から手前の収納室へと順次羽毛を注入するのであるが、収納室間は収納室構成片に設けたいわば透孔（羽毛注入間の挿入用の）により直接的に通じているので、羽毛が該透孔を通じて羽毛注入（充填）操作時に収納室間を移動するおそれがあり、従って、注入操作に熟練を要していた。また、注入操作時に移動しないとしても、当該羽毛布団の使用中、羽毛が収納室間を前記透孔を通じ移動して布団が形崩れしたり、布団本来の機能が損なわれたりする。
【０００４】
本発明は、斯様な従来例の欠点に着目し、収納室間の羽毛の移動を防ぐことのできる挿入口装置を提供すべく創案したものである。
【０００５】
【課題を解決するための手段】
主体袋を構成する表側地と裏側地間に仕切り地を介在させて適宜数の収納室を設け、該収納室の羽毛注入側の収納室構成片部に設けた羽毛注入管用の挿入口装置において、前記仕切り地で構成する収納室構成片と該構成片の両面に重ね合わせた仕切り補助片を前記表裏の側地に止着すると共に、前記収納室構成片に前記羽毛注入管用の第一挿入口を、前記各仕切り補助片に前記羽毛注入管用の第二挿入口を互いに重なり合うことなく設けた、構成とする。
【０００６】
【発明の実施の形態】
図面は本発明に係る羽毛布団における羽毛注入管の挿入口装置の一実施形態を示し、図１は羽毛布団の半製品状態の一部欠截平面図、図２は図１のａ−ａ線断面図、図３は図１のｂ−ｂ線断面図、図４は図１のｃ−ｃ線断面図、図５は収納室の仕切り壁の構成部材の分解斜視図である。
【０００７】
実施形態の羽毛布団Ａは、主体袋１に設けた適宜数の収納室２，…に羽毛３を充填して構成したもので、主体袋１をいわば複数個の部屋に分割して羽毛３をそれぞれに収納充填するようにしたのは、主体袋１（羽毛布団Ａ）内での羽毛３の特定個所への移動集中を防ぎ、全域に均一（所定通りに）に配しておくためである（本発明は、この均一状態を確実に維持させるものである）。
【０００８】
主体袋１は、布製のテープを碁盤目（格子）状に縫い合わせて構成した仕切り地４と、該仕切り地４の前記羽毛布団Ａの長手方向に沿って並ぶ一方向側の収納室構成片５，…のそれぞれに重ね合わせた補助地６，…を、表側地７と裏側地８との間に介在させて互いに縫着すると共に、表側地７と裏側地８周端同士を一側片側の一部を残して互いに縫着１４して構成し、適宜数の前記収納室２，…を升目状にして備えたものである。
【０００９】
前記一方向側に並ぶ収納室構成片５と補助地６とで成す収納室仕切り部９は、収納室構成片（仕切り地４で構成する）５を介在させて補助地６を二つ折りにして構成した仕切り補助片６Ａ，６Ａを相対向して、かつ、収納室構成片５の中央部に部分的に重ね合わせた三重構造にして成るもので（実施形態では羽毛布団Ａの長手方向に沿って４列に並ぶ、各列の収納室構成片５部にここでいう収納室仕切り部９を配置してあるが、該収納室仕切り部は前記４列のものに対して直角方向に並ぶ実施形態の５列のものである他の収納室構成片５´部に設けても良いことは勿論である）、この収納室仕切り部９を構成する前記収納室構成片５には、布製テープを素材とする前記仕切り地４の形成時に該仕切り地４の上端に設けたスリット１０´で、前記構成片５を表側地７に縫（止）着することによって構成した第一挿入口１０を設けてある。
【００１０】
そして、この収納室構成片５の両面に重ね合わせた前記仕切り補助片６Ａ，６Ａには、前記補助地６の形成時に該補助地の両端に設けた切欠１１´，１１´で、前記補助地６を前記裏側地８に縫着（止着）することによって構成した第二挿入口１１，１１を設けてある。
【００１１】
第一、第二の挿入口１０，１１は、第一挿入口１０が収納室構成片５の中央の上端側に、第二挿入口１１が仕切り補助片６Ａの下端中央部位にそれぞれ配することによって互いに重なり合うことなく配置され、実施形態の挿入口装置を構成するが、各挿入口１０，１１の形態や配置関係は、実施形態に限る必要はなく、要は、注入管ｐを貫通させることができ、該注入管ｐを取り外したときは、実施形態のように各挿入口１０，１１が重なり合うことなく位置がずれるようになっていれば良い。
【００１２】
実施形態のような配置関係にすると、縦列させた各収納室２，…を構成する収納室仕切り部９，…の各第二挿入口１１，…が裏側地８側に偏し、第一挿入口１０，…が収納室構成片５の中央で、かつ、表側地７側に偏しているため注入管ｐの挿入乃至貫通操作を円滑に行うことができる。
【００１３】
前記表側地７と裏側地８は、前記の通り、方形状の主体袋１の一側辺１ａに相応する側の一部を残してその周端を互いに縫（止）着して主体袋１を構成するものであるが、その末縫着部分は、前記収納室２，…や収納室仕切り部９，…に注入管ｐを貫通乃至挿入するための出入口１３を構成するもので、各収納室２，…に羽毛３，…を注入充填後に、表裏の側地７，８部同士を互いに縫着して閉塞される。
【００１４】
しかして、図１で示す半製品状態の羽毛布団Ａは、図面上の下側３列の各収納室２に注入管ｐを用いて各列毎に順次羽毛を注入充填した後、最上位（図面上）の列の収納室２，２，２，２，２に注入管ｐを貫通乃至挿入した状態を示している。
【００１５】
前記注入管ｐは、出入口１３を通じて各収納室２，２，２，２および収納室仕切り部９，９，９，９を経てその先端を最奥の収納室２（図面上、符号２Ａで表わす）に収納室仕切り部９（図面上、符号９Ａで表示）を通じて挿入してあり、この注入管ｐを収納室仕切り部９を貫通させるには、一方の仕切り補助片６Ａの第二挿入口１１を通した注入管ｐの先端に収納室構成片５の第一挿入口１０部を合わせ、次いで、該先端を移動させて該第一挿入口１０を貫通させ、他の一方の仕切り補助片６Ａの第二挿入口１１を同様にして先端に一致させ、次いで、当該第二挿入口１１に注入管ｐ先端を貫通させるようにして行うのである。
【００１６】
そして、最奥の収納室２Ａに羽毛３を適量充填（圧入）後、当該収納室２Ａより注入管ｐ先端を後退させ、次段の他の収納室２位置へ移動させると、最奥の収納室２Ａ側は充填した羽毛３により膨らみ、次段の収納室２に隣接する収納室仕切り部９Ａを構成する収納室構成片９や仕切り補助片６Ａ，６Ａの前記羽毛によりいわばテンションがかかり、これらに設けた第一、第二の挿入口１０，１１は互いに位置がずれ全体として（挿入口装置として）閉塞状態となって、羽毛３の当該収納室２Ａ外への移動が規制され、他の各収納室２，…に以下同様にして羽毛３を充填して、出入口１３を閉塞することによって製品、羽毛布団Ａを得られるのである。
【００１７】
【発明の効果】
本発明は前記の通りの構成であるから、表側地と裏側地を互いに離開方向に引っ張っても開放状態になることのない、従って、常に閉塞状態を確実に維持する羽毛注入管の挿入口装置をできる。よって、収納室間で羽毛の移動が生じることがないから、当初状態を維持し、羽毛が全体に常時均一に存する、高品質の羽毛布団を提供できる。
【図面の簡単な説明】
【図１】羽毛布団の半製品状態の一部欠截平面図。
【図２】図１のａ−ａ線断面図。
【図３】図１のｂ−ｂ線断面図。
【図４】図１のｃ−ｃ線断面図。
【図５】収納室の仕切り壁の構成部材の分解斜視図。
【符号の説明】
１　　　主体袋
２　　　収納室
４　　　仕切り地
５　　　収納室構成片
６Ａ　　仕切り補助片
７　　　表側地
８　　　裏側地
１０　　第一挿入口
１１　　第二挿入口
【図１】
2004065618.tif 000003
【図２】
2004065618.tif 000004
【図３】
2004065618.tif 000005
【図４】
2004065618.tif 000006
【図５】
2004065618.tif 000007